(57)【要約】【課題】ロック操作時における過回転による操作レバーの脱落を防止し、接続端子の塑性変形を防止できるコネクタを提供することにある。【解決手段】正面にＦＰＣ４０を挿入できる開口部１１ａを有し、かつ、前記正面から背面を貫通する複数の挿入孔１３を並設したベース１１と、ＦＰＣ４０の接続部４１に圧接可能な可動接点２２ａを一端部に有する略Ｔ字形状の操作片２２を突設し、かつ、固定接点２０ａとなる一端部を前記挿入孔１３に背面側から挿入する接続端子２０と、接続端子２０の回動用凹部２８にカム部３２を嵌合して回動支点とし、前記操作片２２の操作受け部２２ｂを前記カム部３２で駆動可能な操作レバー３０とからなり、配線基板に表面実装されるコネクタ１０である。そして、前記操作レバー３０のロック操作が完了したときに、前記接続端子２０の上辺に設けた位置規制部２６に当接する位置規制用当接部３４を、前記操作レバー３０の下面に設けた。【選択図】図１１
2009266667.tif 000002
【特許請求の範囲】
【請求項１】
正面にフレキシブルプリント基板の先端部を挿入できる開口部を有するとともに、前記正面から背面を貫通する複数の挿入孔を所定のピッチで並設したベースと、
前記フレキシブルプリント基板の先端部に並設した接続部に圧接可能な可動接点を一端部に有する略Ｔ字形状の操作片を突設するとともに、固定接点となる一端部を前記挿入孔に背面側から挿入する接続端子と、
接続端子の上辺に設けた回動用凹部にカム部を嵌合して回動支点とし、前記操作片の他端部に位置する操作受け部を前記カム部で駆動可能な操作レバーとからなり、
配線基板に表面実装されるコネクタであって、
前記操作レバーを回動させてロック操作が完了したときに、前記接続端子の上辺に設けた位置規制部に当接する位置規制用当接部を、前記操作レバーの下面に設けたことを特徴とするコネクタ。
【請求項２】
前記操作レバーを回動させてロック操作が完了したときに、前記接続端子の上辺に設けた位置規制部に、前記操作レバーの下面に設けた位置規制用当接部が当接すると同時に、配線基板に当接する位置規制用壁部を前記操作レバーの下面に突設したことを特徴とする請求項１に記載のコネクタ。
【請求項３】
位置規制用壁部が、底面視で略コ字形状であることを特徴とする請求項２に記載のコネクタ。
【請求項４】
操作レバーの内側面に係止部を設ける一方、前記係止部に係止可能な係止受け部を接続端子に設けたことを特徴とする請求項１ないし３のいずれか１項に記載のコネクタ。
【発明の詳細な説明】
【技術分野】
【０００１】
本発明はコネクタ、特に、フレキシブルプリント基板の先端部に設けた接続部に接続するコネクタに関する。
【背景技術】
【０００２】
従来、コネクタとしては、例えば、複数のコンタクトが並列して設けられ、ＦＰＣ等の複数の端子を一括して接続するプリント配線板用コネクタがある。そして、前記ＦＰＣ等が差し込まれる挿入溝を有するハウジングを備え、前記コンタクトは、前記挿入溝に対して突出後退自在に配置され、操作部材が、接続位置と解除位置とに移動自在に設けられている。このため、前記操作部材が前記接続位置のとき、前記コンタクトは、前記操作部材に押圧されて前記挿入溝に突出し、前記ＦＰＣ等の前記端子に圧接して、前記端子と接続すると共に前記ＦＰＣ等を保持する。また、前記操作部材が前記解除位置のとき、一部の前記コンタクトは、前記挿入溝に対して僅かに突出し、前記ＦＰＣ等に当接して、前記ＦＰＣ等を仮保持し、残りの前記コンタクトは、前記挿入溝に対して後退するように構成されている（特許文献１参照）。
【特許文献１】特開平１１−３０７１９８号公報
【発明の開示】
【発明が解決しようとする課題】
【０００３】
しかしながら、前述のコネクタでは、特許文献１の図３および図４に示すように、操作部材２０である操作レバーにロック操作が行われた場合に、回動操作が過回転となることがある。このため、てこの原理で前記操作レバーが持ち上げられ、ハウジングであるベースから脱落しやすい。
また、前記操作レバーが脱落する際には、コンタクトである接続端子に過大な負荷が作用するので、接続端子が塑性変形し、接続不能になるという問題点がある。
【０００４】
本発明は、前記問題点に鑑み、ロック操作時における過回転による操作レバーの脱落を防止できるとともに、接続端子の塑性変形を防止できるコネクタを提供することを課題とする。
【課題を解決するための手段】
【０００５】
本発明にかかるコネクタは、前記課題を解決すべく、正面にフレキシブルプリント基板の先端部を挿入できる開口部を有するとともに、前記正面から背面を貫通する複数の挿入孔を所定のピッチで並設したベースと、前記フレキシブルプリント基板の先端部に並設した接続部に圧接可能な可動接点を一端部に有する略Ｔ字形状の操作片を突設するとともに、固定接点となる一端部を前記挿入孔に背面側から挿入する接続端子と、接続端子の上辺に設けた回動用凹部にカム部を嵌合して回動支点とし、前記操作片の他端部に位置する操作受け部を前記カム部で駆動可能な操作レバーとからなり、配線基板に表面実装されるコネクタであって、前記操作レバーを回動させてロック操作が完了したときに、前記接続端子の上辺に設けた位置規制部に当接する位置規制用当接部を、前記操作レバーの下面に設けた構成としてある。
【発明の効果】
【０００６】
本発明によれば、接続端子の位置規制部に操作レバーの位置規制用当接部が当接することにより、操作レバーの過回転を防止できる。このため、操作レバーのベースからの脱落を防止できるとともに、接続端子の塑性変形をも防止できる。また、接続端子に操作レバーを当接させることにより、ロック操作完了時の操作レバーの位置決め精度が向上し、接点の位置精度が向上するため、接触信頼性が向上する。
【０００７】
本発明にかかる実施形態としては、前記操作レバーを回動させてロック操作が完了したときに、前記接続端子の上辺に設けた位置規制部に、前記操作レバーの下面に設けた位置規制用当接部が当接すると同時に、配線基板に当接する位置規制用壁部を前記操作レバーの下面に突設した構成としてもよい。
【０００８】
本実施形態によれば、接続端子の位置規制部に操作レバーの位置規制用当接部が当接するとともに、配線基板に操作レバーの位置規制用壁部が当接する。このため、過回転による操作レバーの脱落をより一層確実に防止できるとともに、接続端子の塑性変形をも防止できる。
【０００９】
本発明にかかる他の実施形態としては、位置規制用壁部が、底面視で略コ字形状であってもよい。
本実施形態によれば、接続端子の後端部が被覆されるので、防塵性が向上し、異物等による端子間の短絡を防止できる。
【００１０】
本発明にかかる別の実施形態としては、操作レバーの内側面に係止部を設ける一方、前記係止部に係止可能な係止受け部を接続端子に設けておいてもよい。
【００１１】
本実施形態によれば、操作レバーの係止部と、接続端子の係止受け部とが相互に係止するので、操作感触が向上する。また、操作レバーに振動等が加わっても、ロック状態を維持できるので、耐振性が向上するという効果がある。
【発明を実施するための最良の形態】
【００１２】
本発明にかかる実施形態を図１ないし図１３の添付図面に従って説明する。
第１実施形態にかかるコネクタ１０は、図１ないし図３に示すように、大略、ベース１１と、接続端子２０と、操作レバー３０とからなるものであり、フレキシブルプリント基板（ＦＰＣ）４０を着脱可能に接続できるものである（図４，５）。
【００１３】
ベース１１は、図６Ａ，６Ｂに示すように、その両側端面の片側縁部から弾性腕部１２，１２を背面側に平行にそれぞれ延在してあるとともに、背面から正面に貫通する挿入孔１３を所定のピッチで並設してある。
また、図６Ａに示すように、前記弾性腕部１２の内向面のうち、先端縁部にガイド用テーパ面１２ａを形成してあるとともに、その奥側に軸受け部１２ｂを形成してある。さらに、前記ベース１１は、その背面の下方縁部から前記弾性腕部１２，１２の間にガイド板１４を延在してあるとともに、前記ガイド板１４の上面に前記挿入孔１３にそれぞれ連通するガイド溝部１４ａを並設してある。そして、前記挿入孔１３の下方基部に、前記挿入孔１３に連通し、かつ、後述する接続端子２０を抜け止めする抜け止め用凹部１５を形成してある。
一方、図６Ｂに示すように、前記ベース１１は、その正面側に後述するフレキシブルプリント基板４０を挿入できる開口部１１ａを有している。また、前記ベース１１は、その正面側の両側縁部に設けた圧入溝１１ｂに、基板実装時における浮き上がりを防止するための支持金具１６，１６をそれぞれ圧入，保持している（図２，３）。
【００１４】
接続端子２０は、図７に示すように、その一端部に設けた固定接点２０ａを前記ベース１１の挿入孔１３に挿入可能であり、その中間部から支持部２１を有する略Ｔ字形状の操作片２２を突設してあるとともに、その他端部２０ｂの下方縁部に係止用爪部２３を設けてある。前記操作片２２の一端部から可動接点２２ａが下方に向けて突出しているとともに、その他端部を操作受け部２２ｂとしてある。また、前記接続端子２０は、前記支持部２１の基部を板厚方向に突き出して抜け止め用爪部２４を形成してある。さらに、前記他端部２０ｂから前記抜け止め用爪部２４までの間に位置する上辺部に、抜け止め用突起２５、位置規制部２６、抜け止め用凸部２７および回動用凹部２８を形成してある。
【００１５】
操作レバー３０は、図８に示すように、両側端面に回動軸部３１，３１を同一軸心上に突設してある。また、前記操作レバー３０は、一方の片側縁部に接続端子２０の操作受け部２２ｂを操作するカム部３２を所定のピッチで並設してあるとともに、前記カム部３２に対応する位置に前記操作片２２を挿通するための貫通孔３３を並設してある。さらに、前記操作レバー３０は、前記貫通孔３３に隣接する位置に、前記接続端子２０の位置規制部２６に当接する位置規制用当接部３４を形成してある。前記位置規制用当接部３４は、前記操作レバー３０の回動操作が完了した直後、あるいは、完了と同時に、前記接続端子２０の位置規制部２６に当接し、前記操作レバー３０の過回転による脱落を防止できる下端面を有している。また、前記位置規制用当接部３４は、同一軸心上で連続するように連結されているので、操作性を確保しつつ、強度を維持できる。また、前記操作レバー３０は、他方の片側縁部に操作用テーパ面３５を形成し、切り欠いてあるので、操作レバー３０が小さくなっても、指等によるロック解除の操作が容易である。
【００１６】
なお、本実施形態のコネクタ１０に接続されるＦＰＣ４０は、図４，５に示すように、その先端部に接続部４１をプリント配線してある。
【００１７】
前述の構成部品からなるコネクタ１０の組立方法について説明する。
まず、前記ベース１１の背面側からガイド板１４のガイド溝部１４ａに沿って接続端子２０の一端部２０ａを挿入孔１３に挿入する。これにより、接続端子２０に設けた抜け止め用爪部２４がベース１１の抜け止め用凹部１５の天井面に係止するとともに、係止用爪部２６がベース１１の縁部に係止し、位置決めされる。
【００１８】
ついで、前記操作レバー３０の貫通孔３３に接続端子２０の操作受け部２２ｂをそれぞれ挿入し、前記接続端子２０の上辺に沿って前記操作レバー３０を滑らせ、カム部３２で操作受け部２２ｂを押し上げて弾性変形させたままの状態で押し込む。これにより、前記カム部３２が接続端子２０の回動用凹部２８に嵌合するとともに、前記回動軸部３１がベース１１のガイド用テーパ面１２ａを通過して軸受け部１２ｂに嵌合し、前記操作レバー３０が回動可能に支持される（図９）。
【００１９】
本実施形態によれば、図１０および図１１に示すように、操作レバー３０をロック側に過回転させようとしても、操作レバー３０の位置規制用当接部３４が接続端子２０の位置規制部２６に当接し、位置規制される。このため、操作レバー３０を回動操作した際に生じ得る過回転による脱落を防止できる。
また、図１１に示すように、本実施形態では、操作レバー３０に回動操作力の水平分力が負荷されても、抜け止め用突起２５に位置規制用当接部３４が係止するので、操作レバー３０が側方に脱落することがない。
さらに、回動用凹部２８の直後に抜け止め用凸部２７を配置してあるので、操作レバー３０のカム部３２が前記抜け止め用凸部２７に当接し、より一層脱落しにくくなるという利点がある。
【００２０】
次に、前記コネクタ１０に前記フレキシブルプリント基板４０を接続する方法を図９ないし図１２に基づいて説明する。
まず、図９に示すように、前記ベース１１の開口部１１ａにフレキシブルプリント基板４０の接続部４１を前記ベース１１の内側面に突き当たるまで挿入する（図１０）。ついで、操作レバー３０を回動軸部３１の軸心を中心に回動して押し倒すと、図１１に示すように、カム部３２が接続端子２０の操作受け部２２ｂを押し上げる。このため、支持部２１を支点として略Ｔ字形状の接触片２２が傾き、可動接点２２ａがフレキシブルプリント基板４０の接続部４１に圧接して導通する。そして、前記操作レバー３０を更に回動させようとしても、位置規制用当接部３４が接続端子２０の位置規制部２６に当接することにより、操作レバー３０の過回転による脱落を防止できる。
【００２１】
本実施形態においては、操作レバー３０の回動操作完了時に、操作レバー３０の位置規制用当接部３４が接続端子２０の抜け止め用突起２５に係合する。このため、操作レバー３０に回転操作力の水平分力が作用しても、前記操作レバー３０の脱落を確実に防止できる。
また、前記カム部３２の断面が略楕円形状であるので、所定の角度だけ回動すると、回転モーメントが急激に変化することにより、確かな操作感触が得られる。
【００２２】
一方、前記フレキシブルプリント基板４０を前記コネクタ１０から取り外す場合には、前記操作レバー３０を前述とは逆方向に回動させることにより、カム部３２を反転させ、接続端子２０の操作受け部２２ｂへの曲げモーメントを解除し、前記フレキシブルプリント基板４０の接続部４１に対する可動接点２２ａの接続状態を解除した後、前記フレキシブルプリント基板４０をベース１１から引き出す。
【００２３】
第２実施形態は、図１２に示すように、前述の第１実施形態とほぼ同様であり、同一部分には同一番号を附して説明を省略する。
本実施形態が第１実施形態と異なる点は、抜け止め用凸部２７と隣り合う位置に抜け止め用第２凸部２７ａを設けた点である。これにより、前記操作レバー３０の位置規制用当接部３４が前記抜け止め用凸部２７と抜け止め用第２凸部２７ａとで水平方向に位置規制され、操作レバー３０のガタツキをより一層確実に規制できるという利点がある。
【００２４】
第３実施形態は、図１３に示すように、前述の第１実施形態とほぼ同様であり、異なる点は接続端子２０の上辺部に位置規制用凹部２９を設けた点である。なお、同一部分には同一番号を附して説明を省略する。
本実施形態によれば、前記位置規制用凹部２９の底面に操作レバー３０の位置規制用当接部３４の下面を当接させることにより、操作レバー３０の過回転による脱落を防止できる。
また、操作レバー３０の位置規制用当接部３４に対する干渉寸法を大きくできる。このため、前記位置規制用凹部２９の内側面に前記位置規制用当接部３４を係止することにより、回動操作力の水平分力による前記操作レバー３０の脱落を防止できる。
さらに、接続端子２０の高さ寸法、ひいては、コネクタ１０全体の高さ寸法を抑えることができ、薄型のコネクタ１０が得られる。
【００２５】
第４実施形態は、図１４および図１５に示すように、前述の第１実施形態とほぼ同様であり、異なる点は操作レバー３０の下面外周縁部に位置規制用壁部３６を突設した点である。他は同一であるので、同一部分には同一番号を附して説明を省略する。
本実施形態によれば、接続端子２０の後端部２０ｂが前記位置規制用壁部３６で被覆されるので、防塵性が向上し、異物等による端子間の短絡を防止できる。
【００２６】
前述の実施形態では、操作レバー３０の位置規制用当接部３４を接続端子２０の上辺に当接させて位置規制する場合を説明したが、必ずしもこれに限らず、前記操作レバー３０に設けた位置規制用当接部をベース１１のガイド板１４の上面に当接させることにより、過回転による脱落を防止してもよい。
また、操作レバー３０の位置規制用当接部３４に係止部を設ける一方、前記係止部に係止する係止受け部を接続端子２０の抜け止め用突起２５に設けることにより、より一層脱落しにくくなるとともに、操作感触が向上するという利点がある。
さらに、前記接続端子の抜け止め用突起は、その上辺のうち、他端部に設ける場合に限らず、前記後端部と回動用凹部との間に形成すればよく、特に、配線基板にハンダ付けされる部分の近傍に配置しておくことが好ましい。
【産業上の利用可能性】
【００２７】
本発明にかかるコネクタ１０は前述のコネクタに限らず、他のコネクタに適用してもよいことは勿論である。
【図面の簡単な説明】
【００２８】
【図１】図１Ａ，１Ｂは本発明に係るコネクタの第１実施形態を示す動作前後の斜視図である。
【図２】図２Ａ，２Ｂは図１に示したコネクタの動作前後を示す異なる角度から視た斜視図である。
【図３】図１に示したコネクタの分解斜視図である。
【図４】図１に示したコネクタにフレキシブル基板を装着する前後を示す部分破断斜視図である。
【図５】図１に示したコネクタにフレキシブルプリント基板を装着する前後を示す異なる角度から視た部分破断斜視図である。
【図６】図６Ａおよび図６Ｂは図３に示したベースの部分破断斜視図である。
【図７】図７Ａおよび図７Ｂは図３に示した接続端子の斜視図および正面図である。
【図８】図８Ａ、８Ｂおよび図８Ｃは図３に示した操作レバーの部分破断斜視図である。
【図９】図９Ａおよび図９Ｂは第１実施形態にかかるコネクタの操作方法を説明するための部分破断斜視図、正面断面図である。
【図１０】図１０Ａおよび図１０Ｂは図９に続くコネクタの操作方法を説明するための部分破断斜視図および正面断面図である。
【図１１】図１１Ａ，１１Ｂは図１０に続くコネクタの操作方法を説明するための部分破断斜視図および正面断面図である。
【図１２】図１２Ａ，１２Ｂは第２実施形態にかかるコネクタを説明するための部分破断斜視図および正面断面図である。
【図１３】図１３Ａ，１３Ｂは第３実施形態にかかるコネクタを説明するための部分破断斜視図および正面断面図である。
【図１４】図１４Ａ，１４Ｂは第４実施形態にかかるコネクタを説明するための部分破断斜視図および正面断面図である。
【図１５】図１５Ａ，１５Ｂは第４実施形態にかかるコネクタの回動操作後を示す正面断面図および下方から視た部分破断斜視図である。
【符号の説明】
【００２９】
１０：コネクタ
１１：ベース
１１ａ：開口部
１２：弾性腕部
１３：挿入孔
１４：ガイド板
１４ａ：ガイド溝
１５：抜け止め用凹部
１６：支持金具
２０：接続端子
２０ａ：固定接点（一端部）
２０ｂ：他端部
２１：支持部
２２：操作片
２２ａ：可動接点
２２ｂ：操作受け部
２３：係止用爪部
２４：抜け止め用爪部
２５：抜け止め用突起
２６：位置規制部
２７：抜け止め用凸部
２７ａ：抜け止め用第２凸部
２８：回動用凹部
２９：位置規制用凹部
３０：操作レバー
３１：回動軸部
３２：カム部
３３：貫通孔
３４：位置規制用当接部
３５：操作用テーパ面
３６：位置規制用壁部
４０：フレキシブルプリント基板（ＦＰＣ）
４１：接続部
【図１】
2009266667.tif 000003
【図２】
2009266667.tif 000004
【図３】
2009266667.tif 000005
【図４】
2009266667.tif 000006
【図５】
2009266667.tif 000007
【図６】
2009266667.tif 000008
【図７】
2009266667.tif 000009
【図８】
2009266667.tif 000010
【図９】
2009266667.tif 000011
【図１０】
2009266667.tif 000012
【図１１】
2009266667.tif 000013
【図１２】
2009266667.tif 000014
【図１３】
2009266667.tif 000015
【図１４】
2009266667.tif 000016
【図１５】
2009266667.tif 000017